(57)【要約】      （修正有）【課題】排泄補助具着用カバーの製造コストの上昇をもたらすことなく、寝たきりの被介護者の床ずれを従来のものよりも軽減し得る排泄補助具およびクッションパッドの提供。【解決手段】排泄補助具１００は、着用者の股間部にあてがわれて排泄物を受け入れる前後に細長い開口部１４０と、会陰部と対向する本体部１１０と、この本体部１１０の前端部分から延在して下腹部に当接する前カップ部１２０と、本体部１１０の後端部分から延在して臀部に当接する臀部支持部１３０とを具え、前後に細長い開口部１４０は、前カップ部１２０から本体部１１０に亙って尿管口および肛門を囲むように形成され、臀部支持部１３０は、その表面の少なくとも一部に露出するクッション層１３１を有し、仙骨部が位置するクッション層１３１の部分に窪み部１３２が形成されている。【選択図】図４
2008142243.tif 000002
【特許請求の範囲】
【請求項１】
股間部を洗浄して排泄物を吸引排除するための排泄物処理システムにおいて用いられ、股間部にあてがわれて排泄物を受け入れる前後に細長い開口部が形成された排泄補助具であって、
会陰部と対向する本体部と、
この本体部の前端部分から延在して下腹部に当接する前カップ部と、
前記本体部の後端部分から延在して臀部に当接する臀部支持部と
を具え、前記前後に細長い開口部は、前記前カップ部から前記本体部に亙って尿管口および肛門を囲むように形成され、
前記臀部支持部は、その表面の少なくとも一部に露出するクッション層を有し、仙骨部が位置する前記クッション層の部分に窪み部が形成されていることを特徴とする排泄補助具。
【請求項２】
前記クッション層は、そのショア硬さがＨSC２０以下であることを特徴とする請求項１に記載の排泄補助具。
【請求項３】
前記本体部は、その前端部分に前記前カップ部の後端部分につながる可撓接続部を有することを特徴とする請求項１または請求項２に記載の排泄補助具。
【請求項４】
前記本体部は、洗浄液が供給される洗浄液供給ポートと、温風が供給される温風供給ポートと、排泄物を洗浄液と共に本体部の外に吸引除去するための排泄ポートとをさらに有することを特徴とする請求項１から請求項３の何れかに記載の排泄補助具。
【請求項５】
股間部を洗浄して排泄物を吸引排除するための排泄物処理システムにおいて、請求項１から請求項４の何れかに記載の排泄補助具と共に用いられ、左右の臀部を受けるクッションパッドであって、
排泄補助具の臀部支持部が載置されるベースシートと、
このベースシートの左右両側に前記臀部支持部を挟むように配される一対のクッションブロックと、
これらベースシートおよび少なくとも一方のクッションブロックに配されて前記ベースシートに対する少なくとも一方のクッションブロックの固定位置を変更し得る面ファスナと
を具えたことを特徴とするクッションパッド。
【請求項６】
前記クッションブロックは、クッション材と、このクッション材を取り外し可能に包むと共に前記面ファスナが接合されたカバーシートとを有することを特徴とする請求項５に記載のクッションパッド。
【請求項７】
前記クッション材は、その反発弾性率が３０％以下であることを特徴とする請求項６に記載のクッションパッド。
【請求項８】
請求項４に記載の排泄補助具と、
この排泄補助具の開口部に結合される前後に細長い開口部が形成された股下領域ならびに前身頃領域および後身頃領域を有し、この排泄補助具を包むように装着される排泄補助具着用カバーと、
請求項５または請求項６に記載のクッションパッドと、
排泄補助具に連結されて洗浄液および温風の供給ならびに排泄物を洗浄液と共に吸引回収する排泄物処理ユニットと
を具えたことを特徴とする排泄物処理システム。
【発明の詳細な説明】
【技術分野】
【０００１】
本発明は、被介護者の股間部を洗浄して排泄物を吸引排除するための排泄物処理システムおよびこのシステムに用いられる排泄補助具ならびにクッションパッドに関する。
【背景技術】
【０００２】
寝たきりの被介護者の排泄物を自動的に外部に吸引排出する排泄物処理システムとして、特許文献１や特許文献２に開示されたものが知られている。このような排泄物処理システムにおいては、おむつなどの頻繁な交換を伴わずに排泄物を自動処理し、被介護者および介護人双方の負担を軽減させることができるように配慮している。
【０００３】
通常、上述したような排泄物処理システムは、被介護者の股間部にあてがわれて排泄物を受け入れる前後に細長い開口部が形成された排泄補助具と、この排泄補助具の開口部に結合される前後に細長い開口部が形成された股下領域ならびに前身頃領域および後身頃領域を有し、この排泄補助具を包むように被介護者に装着される排泄補助具着用カバーと、排泄補助具に連結されて洗浄液および温風の供給ならびに排泄物を洗浄液と共に吸引回収する排泄物処理ユニットとを一般的に具えている。排泄物処理ユニットは、排泄補助具から配管を介して排泄物などを吸引回収すると共に温水および温風を排泄補助具内に供給する機能を有する。また、排泄補助具着用カバーは、排泄補助具の開口部から排泄物などが漏れた場合にこれを受ける機能も有する。
【０００４】
【特許文献１】特開平８−３２２８６８号公報
【特許文献２】特開２００１−１９０５８３号公報
【特許文献３】特開２００６−１４１５９０号公報
【発明の開示】
【発明が解決しようとする課題】
【０００５】
排泄補助具を寝たきりの被介護者の股間部にあてがった場合、被介護者の臀部に硬質の排泄補助具の後端部が当った状態となり、床ずれの大きな原因となる可能性が高い。しかしながら、従来の自動排泄処理装置はこれに関して特別な配慮がなされておらず、改善の余地があった。
【０００６】
特許文献３は、排泄補助具と被介護者の臀部との間にクッション性の高い排泄補助具着用カバーを介在させることにより、床ずれの発生を抑制することに成功している。しかしながら、クッション性の高い排泄補助具着用カバーは、その製造コストが嵩むため、交換頻度の高い排泄補助具着用カバーに関する利用者の負担が増大してしまうという問題があった。
【０００７】
本発明の目的は、排泄補助具着用カバーの製造コストの上昇をもたらすことなく、寝たきりの被介護者の床ずれを従来のものよりも軽減し得る排泄補助具およびクッションパッドを提供することにある。また、このような排泄補助具およびクッションパッドを用いた排泄物処理システムを提供することも本発明の目的に含まれる。
【課題を解決するための手段】
【０００８】
本発明の第１の形態は、股間部を洗浄して排泄物を吸引排除するための排泄物処理システムにおいて用いられ、股間部にあてがわれて排泄物を受け入れる前後に細長い開口部が形成された排泄補助具であって、会陰部と対向する本体部と、この本体部の前端部分から延在して下腹部に当接する前カップ部と、前記本体部の後端部分から延在して臀部に当接する臀部支持部とを具え、前記前後に細長い開口部は、前記前カップ部から前記本体部に亙って尿管口および肛門を囲むように形成され、前記臀部支持部は、その表面の少なくとも一部に露出するクッション層を有し、仙骨部が位置する前記クッション層の部分に窪み部が形成されていることを特徴とするものである。
【０００９】
本発明における排泄補助具を被介護者などが着用した場合、被介護者の臀部が臀部支持部のクッション層に押し当たり、クッション層の弾性変形によって面圧の分布がより均一化されることとなる。また、着用者の仙骨部は臀部支持部のクッション層の窪み部に位置しており、クッション層と仙骨部との接触圧も低下して周囲の面圧とほぼ等しくなる。
【００１０】
本発明の第１の形態による排泄補助具において、クッション層のショア硬さがＨSC２０以下であることが好ましく、ＨSC２０を越えると床ずれ防止の効果をほとんど期待できなくなる。
【００１１】
本体部の前端部分に前カップ部の後端部分につながる可撓接続部を有するものであってよい。
【００１２】
本体部は、洗浄液が供給される洗浄液供給ポートと、温風が供給される温風供給ポートと、排泄物を洗浄液と共に本体部の外に吸引除去するための排泄ポートとをさらに有することができる。
【００１３】
本発明の第２の形態は、股間部を洗浄して排泄物を吸引排除するための排泄物処理システムにおいて、本発明の第１の形態による排泄補助具と共に用いられ、左右の臀部を受けるクッションパッドであって、排泄補助具の臀部支持部が載置されるベースシートと、このベースシートの左右両側に前記臀部支持部を挟むように配される一対のクッションブロックと、これらベースシートおよび少なくとも一方のクッションブロックに配されて前記ベースシートに対する少なくとも一方のクッションブロックの固定位置を変更し得る面ファスナとを具えたことを特徴とするものである。
【００１４】
本発明において、被介護者などが排泄補助具を着用した状態においては、被介護者の臀部が臀部支持部のクッション層に押し当たり、さらに左右の臀部の両側部がクッションパッドのクッションブロックに保持されることとなる。被介護者の臀部の大きさに応じてベースシートに対するクッションブロックの固定位置を変更することにより、一対のクッションブロックの間隔を調整し、被介護者の臀部を安定状態で保持する。
【００１５】
本発明の第２の形態によるクッションパッドにおいて、クッションブロックが、クッション材と、このクッション材を取り外し可能に包むと共に面ファスナが接合されたカバーシートとを有するものであってよい。この場合、床ずれ防止の観点からクッション材の反発弾性率が３０％以下であることが好ましい。
【００１６】
本発明の第３の形態は、洗浄液が供給される洗浄液供給ポートと、温風が供給される温風供給ポートと、排泄物を洗浄液と共に本体部の外に吸引除去するための排泄ポートとを本体部が有する本発明の第１の形態による排泄補助具と、この排泄補助具の開口部に結合される前後に細長い開口部が形成された股下領域ならびに前身頃領域および後身頃領域を有し、この排泄補助具を包むように装着される排泄補助具着用カバーと、本発明の第２の形態によるクッションパッドと、排泄補助具に連結されて洗浄液および温風の供給ならびに排泄物を洗浄液と共に吸引回収する排泄物処理ユニットとを具えたことを特徴とする排泄物処理システムにある。
【００１７】
本発明においては、被介護者などの臀部が臀部支持部のクッション層に押し当たり、さらに左右の臀部の両側部がクッションパッドのクッションブロックに保持されることとなる。洗浄液供給ポートから供給される洗浄液により、排泄補助具および被介護者の会陰部の洗浄が行われ、排泄物は、洗浄液と共に排泄補助具の排泄ポートから排泄物処理ユニットへと吸引排除される。また、温風供給ポートから供給される温風により、排泄補助具および被介護者の会陰部の乾燥が行われる。
【発明の効果】
【００１８】
股間部にあてがわれて排泄物を受け入れる前後に細長い開口部が形成された本発明の排泄補助具によると、前カップ部から本体部に亙って尿管口および肛門を囲むように前後に細長い開口部が形成され、本体部の後端部分から延在して臀部に当接する臀部支持部が、その表面の少なくとも一部に露出するクッション層を有し、仙骨部が位置するクッション層の部分に窪み部を形成したので、着用者の仙骨部がクッション層の窪み部に位置することとなり、仙骨部がクッション層に強く押し当たらず、着用者の床ずれを大幅に抑制することができる。
【００１９】
クッション層のショア硬さがＨSC２０以下の場合、クッション層に対する着用者の臀部の面圧をより均一化させることが可能となり、使用者の床ずれをさらに少なくすることができる。
【００２０】
本体部の前端部分に前カップ部の後端部分につながる可撓接続部を有する場合、着用者の体格の相違などに拘らず、着用者の会陰部に対する本体部の前端部分の追従性を向上させることができ、漏れをより確実に防止することができる。
【００２１】
洗浄液が供給される洗浄液供給ポートと、温風が供給される温風供給ポートと、排泄物を洗浄液と共に本体部の外に吸引除去するための排泄ポートとを本体部が有する場合、洗浄液供給ポートや温風供給ポートが排泄物によって汚れてしまうような不具合を低減させることができる。
【００２２】
本発明による排泄補助具と共に用いられる本発明のクッションパッドによると、排泄補助具の臀部支持部が載置されるベースシートと、このベースシートの左右両側に臀部支持部を挟むように配される一対のクッションブロックと、これらベースシートおよび少なくとも一方のクッションブロックに配されてベースシートに対する少なくとも一方の緩衝ブロックの固定位置を変更し得る面ファスナとを具えているので、利用者の体格に合わせて一対のクッションブロックの間隔を容易かつ迅速に変更することができ、しかもその位置ずれを確実に防止することができる。
【００２３】
クッション材と、このクッション材を取り外し可能に包むと共に面ファスナが接合されたカバーシートとをクッションブロックが有する場合、カバーシートを洗濯することによってクッションブロックを常に清潔に保つことができる。特に、クッション材の反発弾性率が３０％以下の場合、クッションブロックに対する利用者の臀部の面圧をより均一化させることが可能となり、利用者の床ずれをさらに少なくすることができる。
【００２４】
本発明の排泄物処理システムによると、本発明の第１の形態による排泄補助具と、この排泄補助具の開口部に結合される前後に細長い開口部が形成された股下領域ならびに前身頃領域および後身頃領域を有し、この排泄補助具を包むように装着される排泄補助具着用カバーと、本発明の第２の形態によるクッションパッドと、排泄補助具に連結されて洗浄液および温風の供給ならびに排泄物を洗浄液と共に吸引回収する排泄物処理ユニットとを具えているので、排泄物の処理を自動的に行うことが可能であり、しかも被介護者の床ずれの発生を従来のものよりも大幅に抑制することができる。
【発明を実施するための最良の形態】
【００２５】
本発明による排泄物処理システムの一実施形態について、図１〜図１０を参照しながら詳細に説明する。本発明はこのような実施形態のみに限らず、特許請求の範囲に記載された本発明の概念に包含されるあらゆる変更や修正が可能であり、従って本発明の精神に帰属する他の任意の技術にも当然応用することができる。
【００２６】
本実施形態における排泄物処理システムの使用状況を図１に模式的に示す。この排泄物処理システムは、その利用者、つまりベッドなどに寝たきりの被介護者などの股間部にあてがわれる排泄補助具１００と、この排泄補助具１００を包むように利用者に装着される排泄補助具着用カバー２００と、排泄補助具１００と共に利用者の左右の臀部を受けるクッションパッド３００と、排泄補助具１００に可撓性の配管４００を介して連結されて洗浄液および温風の供給ならびに排泄物を洗浄液と共に吸引回収する排泄物処理ユニット５００とを具えている。
【００２７】
排泄補助具１００に排泄補助具着用カバー２００を取り付けた状態の外観を図２に模式的に示し、これらを分離した状態の外観を図３に模式的に示し、排泄補助具１００の外観を図４に示し、その前後方向に沿った中央部の断面構造を図５に示す。本実施形態における排泄補助具１００は、着用者の会陰部と対向する本体部１１０と、この本体部１１０の前端部分から延在して着用者の下腹部が当接する前カップ部１２０と、本体部１１０の後端部分から延在して着用者の臀部が当接する臀部支持部１３０とを具えている。
【００２８】
本体部１１０は、その前端部分に前カップ部１２０の後端部分につながる可撓接続部１１１を有する。湾曲した樋状をなす可撓接続部１１１は、ゴムや樹脂などの弾性部材を成形したものであり、多少の伸縮性も具えており、後述する開口部１４０全体を着用者に密着させることができるように配慮している。可撓接続部１１１の前端に連結される前カップ部１２０は、可撓接続部１１１を介して尿を本体部１１０側に導く機能を有する。排泄物を受け入れる本体部１１０の底部には、洗浄液を本体部１１０内に導くための洗浄液供給ポート１１２と、温風を本体内に導くための温風供給ポート１１３と、排泄物を洗浄液と共に本体部１１０の外に吸引除去するための排泄ポート１１４とが形成され、さらに本体部１１０に組み込まれた各種センサ、例えば液滴検出センサなどの接続端子１１５が突設されている。
【００２９】
排泄物を受け入れる前後に細長い開口部１４０は、前カップ部１２０から本体部１１０に亙って着用者の尿管口および肛門を囲むように形成され、この開口部１４０の内周縁部には、後述する排泄補助具着用カバー２００の開口部２１０が剥離可能に接合される。
【００３０】
被介護者の臀部が載せられる臀部支持部１３０は、本体部１１０の後端側の開口部１４０を囲むように本体部１１０と一体的に形成されている。この臀部支持部１３０は、被介護者の床ずれを軽減するためにその表面の少なくとも一部に露出するクッション層１３１を有する。また、着用者の仙骨部が位置するクッション層１３１の部分には窪み部１３２が形成されており、着用者の仙骨部がクッション層１３１に強く押し当たらないように配慮している。高分子ゲルやエラストマーなどで形成されるクッション層１３１のショア硬さは、ＨSC２０以下、特にＨSC５以下であることが好ましく、これによって着用者の臀部の面圧をより均一に保持し、先の窪み部１３２を形成したことと相俟って床ずれの発生を抑制することができる。
【００３１】
本実施形態における排泄補助具着用カバー２００は、特許文献３などに開示されたものと基本的に同じものを利用することができ、着用者に対する排泄補助具１００の位置ずれを防止すると共に排泄補助具１００の開口部１４０から排泄物などが漏れた場合にこれを受ける機能を併せ持つ。この排泄補助具着用カバー２００を展開した状態の内側および外側の平面形状を図６および図７にそれぞれ示す。本実施形態における排泄補助具着用カバー２００は、着用者の皮膚に触れる液透過性のトップシート２２０と、液不透過性のバックシート２３０とを相互に重ね合わせて接合したものであり、前身頃領域２０１と股下領域２０２と後身頃領域２０３とを有する。前身頃領域２０１および後身頃領域２０３には被介護者の腰周りを覆う前後一対のサイドフラップ２０４が形成されている。股下領域２０２の中央部には、排泄補助具１００の開口部１４０に対応した輪郭形状の開口部２１０が前身頃領域２０１から後身頃領域２０３に亙って形成されている。
【００３２】
排泄補助具着用カバー２００の外側に面するバックシート２３０側の開口部２１０の周囲には、上述した排泄補助具１００の開口部１４０の内周縁部に対して剥離可能に接合し得る図示しない粘着剤層が形成されている。なお、この粘着剤層には剥離紙２３１が接合されており、この排泄補助具着用カバー２００を使用する際に剥離紙２３１を剥がして粘着剤層を露出させ、排泄補助具１００の開口部１４０の内周縁部に接合するようにしている。
【００３３】
排泄補助具着用カバー２００の股下領域２０２に位置する左右両側のトップシート２２０とバックシート２３０との間には、脚周りギャザーを形成するための左右一対の弾性部材２０５が接合されている。同様に、ウエスト周りギャザーを形成するための図示しない弾性部材が伸長状態で後身頃領域２０３のトップシート２２０とバックシート２３０との間に接合されている。この後身頃領域２０３のサイドフラップ２０４の部分には、前身頃領域２０１のバックシート２３０に接合された面ファスナ２４０に剥離可能に接合される左右２組の面ファスナタブ２０６がバックシート２３０とトップシート２２０との間に挟まれた状態で接合されている。従って、前後一対のサイドフラップ２０４の端縁部を相互に接合または重ね合わせることによって、ウエスト周り開口部と一対の脚周り開口部とを形成することができ、この排泄補助具着用カバー２００を被介護者に対してしっかりと着用させることができる。
【００３４】
バックシート２３０の前身頃領域２０１には、排泄補助具１００の可撓接続部１１１を抱き込むように保持するための左右一対の保持シート２５０の外側縁部が接合されている。相互に重なり合うこれら一対の保持シート２５０の内側縁部には、これらを相互に剥離可能に接合するための面ファスナ２５１，２５２が設けられている。また、バックシート２３０の後身頃領域２０３には、排泄補助具１００の臀部支持部１３０を連結するためのポケットシート２３２の少なくとも左右両側縁部が接合されており、このポケットシート２３２とバックシート２３０との間に排泄補助具１００の臀部支持部１３０を差し込むことにより、先の保持シート２５０と相俟って排泄補助具１００と排泄補助具着用カバー２００との一体性を持たせ、これらの位置ずれが起こりにくくなるように配慮している。
【００３５】
バックシート２３０の左右両側には、このバックシート２３０と共にサイドフラップ２０４を画成し、その内側縁に沿って弾性部材２６１を伸長状態で接合することにより、立体ギャザー２６０を形成する液不透過性の一対のサイドシート２６２の外側縁部が前身頃領域２０１から後身頃領域２０３に亙って接合されている。また、この立体ギャザー２６０の内側には、外側端部に弾性部材２７１を伸長状態で接合した液不透過性の左右一対の防漏バリヤ２７０の長手方向両端部および内側端部が開口部２１０を挟んでトップシート２２０に一体に接合されている。これら立体ギャザー２６０および防漏バリヤ２７０は被介護者の会陰部に当接し、被介護者の会陰部と排泄補助具１００の開口部１４０との間の隙間をシールする機能を有する。
【００３６】
被介護者が横たわるベッド、好ましくは低反発マットレス６００の上に載置されて被介護者の左右の臀部を受けるクッションパッド３００の外観を図８に示し、その分解状態を図９に示す。本実施形態におけるクッションパッド３００は、排泄補助具１００の臀部支持部１３０が載置されるベースシート３１０と、このベースシート３１０の左右両側に前記臀部支持部１３０を挟むように配される一対のクッションブロック３２０と、これらベースシート３１０およびクッションブロック３２０に配されてベースシート３１０に対するクッションブロック３２０の固定位置を変更し得る面ファスナ３１１，３２１とを具えている。左右一対のクッションブロック３２０の間隔は、面ファスナ３１１，３２１の接合位置をずらすことによって任意に変更可能であり、被介護者の体格や臀部の形状に応じてベースシート３１０に対するクッションブロック３２０の取り付け位置を調整することが好ましい。本実施形態におけるクッションブロック３２０は、クッション材３２２（図１０参照）と、このクッション材３２２を取り外し可能に包むと共に面ファスナ３２１が接合されたカバーシート３２３とを有し、カバーシート３２３にはクッション材３２２を出し入れするためのスリット状をなす開口部３２４が形成されている。床ずれ防止の観点から、ＪＩＳ Ｋ ６４００にて規定される反発弾性率が３０％以下、特に１５％以下の発泡ポリウレタンや高分子ゲルまたはエラストマーなどで形成されたクッション材３２２を使用することが好ましいと言える。布帛などで形成されるカバーシート３２３やベースシート３１０が汚れた場合には、クッション材３２２を開口部３２４から取り除いた後、これらを洗濯することによって常に清潔に保つことができる。
【００３７】
基端が排泄物処理ユニット５００に連結される配管４００の先端部には、排泄補助具１００の本体部１１０に形成されたポート１１２〜１１４および接続端子１１５と対応した形状の図示しない配管コネクタおよび端子コネクタが組み込まれ、排泄補助具１００の本体部１１０の底部に対して着脱可能に連結される。
【００３８】
本実施形態における排泄物処理ユニット５００は、家庭用電源などに接続して電力の供給を受け、排泄補助具１００から配管４００を介して排泄物などを吸引回収すると共に温水および温風を排泄補助具１００内に供給する機能を有する。この排泄物処理ユニット５００は、特許文献１〜３などに開示されたものをほぼそのまま利用することができるので、その詳細な構造などに関しては説明を省略する。
【００３９】
低反発マットレス６００は、上述したクッション層１３１やクッション材３２２などと同程度か、あるいるそれよりも多少硬めであることが有効であり、一般的には反発弾性率が３０％以下、特に１５％以下の発泡ポリウレタンなどで形成されたものを採用することが好ましい。
【００４０】
上述した排泄補助具着用カバー２００を排泄補助具１００に装着する場合、排泄補助具１００の臀部支持部１３０を排泄補助具着用カバー２００のポケットシート２３２に差し込み、さらに保持シート２５０を用いて本体部１１０の可撓接続部１１１を抱き込む。この状態にて図示しない剥離紙を除去し、露出した粘着剤層２３１を排泄補助具１００の開口部１４０の内周縁部に押し付けて両者を密着させる。このようにして排泄補助具着用カバー２００の開口部２１０を排泄補助具１００の開口部１４０に沿って接合し、一体化させた図２に示す状態の排泄補助具１００および排泄補助具着用カバー２００を被介護者に装着する。より具体的には、低反発マットレス６００の上に寝た状態の被介護者の臀部を持ち上げ、まずクッションパッド３００のベースシート３１０を被介護者の臀部の直下に置き、左右のクッションブロック３２０を被介護者の臀部の位置に合わせてベースシート３１０の両側に面ファスナ３１１，３２１を利用して接合する。さらに、このクッションパッド３００の左右のクッションブロック３２０の間の被介護者の臀部の直下に排泄補助具着用カバー２００の後身頃領域２０３を排泄補助具１００の臀部支持部１３０と共に潜り込ませ、排泄補助具１００の開口部１４０を被介護者の股間部に押し当たるようにして排泄補助具着用カバー２００の前身頃領域２０１を被介護者の下腹部にあてがう。最後に、前身頃領域２０１のサイドフラップ２０４を被介護者のウエスト部に沿わせ、この状態にて後身頃領域２０３のサイドフラップ２０４に取り付けられた面ファスナタブ２０６を前身頃領域２０１の面ファスナ２４０に接合する。
【００４１】
この状態における被介護者の臀部と排泄補助具１００の臀部支持部１３０およびクッションパッド３００との位置関係を図１０に模式的に示す。図中、二点鎖線で示す被介護者の臀部は、臀部支持部１３０のクッション層１３１およびクッションパッド３００のクッションブロック３２０を介して低反発マットレス６００上に保持される。また、クッション層１３１の窪み部１３２には被介護者の仙骨部が位置しており、被介護者の臀部全体の面圧がほぼ一定に保たれる結果、床ずれの発生を大幅に抑制することができる。この場合、被介護者の臀部とクッション層１３１およびクッションブロック３２０との間には、図示しない排泄補助具着用カバー２００の後身頃領域２０３が介在した状態となることは言うまでもない。
【００４２】
この状態において排泄補助具１００の着用者１が排泄をすると、排泄補助具１００内に組み込まれた図示しないセンサがこれを検知し、排泄物処理ユニット５００が作動して排泄補助具１００に介在する排泄物を配管４００から排泄物処理ユニット５００内に吸引する。これと同時に、排泄物処理ユニット５００から配管４００を介して排泄補助具１００内に温水が供給され、排泄補助具１００内およびこの排泄補助具１００の開口部１４０で囲まれた使用者１の股間部の汚れが洗い落とされ、これらも排泄物と共に排泄物処理ユニット５００内に吸引排除される。しかる後、排泄物処理ユニット５００から配管４００を介して温風が排泄補助具１００内に供給され、排泄補助具１００内およびこの排泄補助具１００の開口部１４０で囲まれた使用者１の股間部を乾燥させる。このようにして、おむつなどの頻繁な交換を伴わずに排泄物を自動処理し、被介護者および介護人双方の負担を軽減させることができる。
【００４３】
なお、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【図面の簡単な説明】
【００４４】
【図１】本発明による排泄物処理システムの一実施形態における使用状況を模式的に表す概念図である。
【図２】図１に示した排泄物処理システムに用いられる排泄補助具と排泄補助具着用カバーとを組み合わせた状態の外観を表す立体投影図である。
【図３】図３に示した排泄補助具と排泄補助具着用カバーとを分離した状態の外観を模式的に表す立体投影図である。
【図４】図１に示した排泄物処理システムの一実施形態における排泄補助具の外観を拡大した立体投影図である。
【図５】図４に示した排泄補助具を前後方向に沿ってその中央部を切断した破断断面図である。
【図６】図１に示した排泄物処理システムに用いられる排泄補助具着用カバーを内面側から展開状態で見た平面図である。
【図７】図１に示した排泄物処理システムに用いられる排泄補助具着用カバーを外面側から展開状態で見た平面図である。
【図８】図１に示した排泄物処理システムに用いられるクッションパッドの外観を表す立体投影図である。
【図９】図８に示したクッションパッドのベースシートとクッションブロックとを分離した状態の外観を表す立体投影図である。
【図１０】図１に示した排泄物処理システムにおいて、排泄補助具の臀部支持部およびクッションパッドを左右方向に沿って切断した破断断面図である。
【符号の説明】
【００４５】
１００  排泄補助具
１１０  本体部
１１１  可撓接続部
１１２  洗浄液供給ポート
１１３  温風供給ポート
１１４  排泄ポート
１１５  接続端子
１２０  前カップ部
１３０  臀部支持部
１３１  クッション層
１３２  窪み部
１４０  開口部
２００  排泄補助具着用カバー
２０１  前身頃領域
２０２  股下領域
２０３  後身頃領域
２０４  サイドフラップ
２０５  弾性部材
２０６  面ファスナタブ
２１０  開口部
２２０  トップシート
２３０  バックシート
２３１  剥離紙
２３２  ポケットシート
２４０  面ファスナ
２５０  保持シート
２５１，２５２  面ファスナ
２６０  立体ギャザー
２６１  弾性部材
２６２  サイドシート
２７１  弾性部材
２７０  防漏バリヤ
３００  クッションパッド
３１０  ベースシート
３１１  面ファスナ
３２０  クッションブロック
３２１  面ファスナ
３２２  クッション材
３２３  カバーシート
３２４  開口部
４００  配管
５００  排泄物処理ユニット
６００  低反発マットレス
【図１】
2008142243.tif 000003
【図２】
2008142243.tif 000004
【図３】
2008142243.tif 000005
【図４】
2008142243.tif 000006
【図５】
2008142243.tif 000007
【図６】
2008142243.tif 000008
【図７】
2008142243.tif 000009
【図８】
2008142243.tif 000010
【図９】
2008142243.tif 000011
【図１０】
2008142243.tif 000012